(57)【要約】  スイッチの切り替え動作を利用して導通不良に対応することが可能なスイッチを提案する。スイッチ１は、中央棒５と、可動棒１２と、上側固定接点１３と、下側固定接点１５を備える。可動棒１２は、可動接点台を備える。可動接点台は、上側可動接点板１７と、下側可動接点板１９と、補助板２１を備える。上側可動接点板１７及び下側可動接点板１９は、それぞれ、可動接点２１及び２３が固定接点１３及び１５に接触して閉極するときに、上に及び下に凹な湾曲面状から平面状へ変形することにより、可動接点と固定接点の間でワイプ動作を実現して、絶縁物の除去等を実現する。また、上側固定接点１３と上側可動接点２１が溶着するとき、中央棒５が可動棒１２を押下することにより強制剥離することができる。
2018198159.tif 000002
【特許請求の範囲】
【請求項１】
スイッチであって、
可動棒と、固定接点部を備え、
前記可動棒は、可動接点台を備え、
前記可動接点台は、
上に凹な湾曲面状と平面状で変形可能な上側可動接点板と、
下に凹な湾曲面状と平面状で変形可能な下側可動接点板を備え、
前記固定接点部は、
前記可動接点台よりも上に位置する上側固定接点と、
前記可動接点台よりも下に位置する下側固定接点を備え、
前記下側可動接点板の可動接点と下側固定接点が接触した状態から、前記可動棒の所定向きへの移動に応じて、
前記上側可動接点板が上に凹な湾曲面状で前記上側可動接点板の可動接点と前記上側固定接点とが接触し、前記上側可動接点板の可動接点が前記上側固定接点を押下して前記上側可動接点板が上に凹な湾曲面状から平面状に変形し、
前記下側可動接点板の可動接点と前記下側固定接点とが離れて前記下側可動接点板が平面状から下に凹な湾曲面状に変形し、
前記上側可動接点板の可動接点と上側固定接点が接触した状態から、前記可動棒の所定向きへの移動に応じて、
前記上側可動接点板の可動接点と前記上側固定接点とが離れて前記上側可動接点板が平面状から上に凹な湾曲面状に変形し、
前記下側可動接点板が下に凹な湾曲面状で前記下側可動接点板の可動接点と前記下側固定接点とが接触し、前記下側可動接点板の可動接点が前記下側固定接点を押下して前記下側可動接点板が下に凹な湾曲面状から平面状に変形する、スイッチ。
【請求項２】
前記可動接点台は、前記上側可動接点板と前記下側可動接点板との間に前記可動棒が上昇しても下降しても変形しない補助板を備える、請求項１記載のスイッチ。
【請求項３】
中央棒と、接続部材と、反転部材をさらに備え、
前記反転部材は、前記接続部材と前記可動棒との距離に応じて反転し、
前記中央棒が下降すると、前記接続部材は上昇し、
前記接続部材が上昇すると、前記反転部材が反転して前記可動棒は下降し、
前記中央棒が上昇した状態で、前記上側可動接点板の可動接点と前記上側固定接点とが接触し、前記下側可動接点板の可動接点と前記下側固定接点とが離れており、
前記中央棒が下降すると、
前記上側可動接点板の可動接点と前記上側固定接点とが溶着していない場合、前記中央棒と前記可動棒が接触する前に前記反転部材が反転することによって、前記上側可動接点板の可動接点と前記上側固定接点とが離れ、前記下側可動接点板の可動接点と前記下側固定接点とが接触し、
前記上側可動接点板の可動接点と前記上側固定接点とが溶着している場合、前記中央棒と前記可動棒が接触して前記中央棒が前記可動棒を押下して前記上側可動接点板の可動接点と前記上側固定接点を強制剥離して前記上側可動接点板の可動接点と前記上側固定接点とが離れて、前記下側可動接点板の可動接点と前記下側固定接点とが接触し、
前記下側可動接点板の可動接点が下側固定接点を押下して、前記下側可動接点板は下に凹な湾曲面状から平面状に変形する、請求項１又は２に記載のスイッチ。
【請求項４】
スイッチであって、
可動棒と、中央棒と、反転部材と、固定接点部を備え、
前記可動棒は、可動接点台を備え、
前記固定接点部は、
前記可動接点台よりも上に位置する上側固定接点と、
前記可動接点台よりも下に位置する下側固定接点を備え、
前記中央棒が上昇した状態で、前記可動棒が上昇し、前記可動接点台の可動接点と前記上側固定接点とが接触し、前記可動接点台の可動接点と前記下側固定接点とが離れ、
前記中央棒が下降すると、
前記可動接点台の可動接点と前記上側固定接点とが溶着していない場合、前記中央棒と前記可動棒が接触する前に前記反転部材が反転することによって、前記可動接点台の可動接点と前記上側固定接点とが離れ、前記可動接点台の可動接点と前記下側固定接点とが接触し、
前記可動接点台の可動接点と前記上側固定接点とが溶着している場合、前記中央棒と前記可動棒が接触して前記中央棒が前記可動棒を押下して、前記可動接点台の可動接点と前記上側固定接点を強制剥離して前記可動接点台の可動接点と前記上側固定接点とが離れ、前記可動接点台の可動接点と前記下側固定接点とが接触する、スイッチ。
【発明の詳細な説明】
【技術分野】
【０００１】
本発明は、スイッチに関する。
【背景技術】
【０００２】
特許文献１は、従来の１ａ１ｂ接点スイッチの一例を開示する。特許文献１記載のスイッチにおいて、接点溶着等が発生した場合の強制剥離の機構は、テコの原理を利用したシーソー方式である。また、接点は、強固な板に固定されていた。非特許文献１には、スナップアクションによる様々なスイッチが記載されている。
【先行技術文献】
【特許文献】
【０００３】
【特許文献１】特開２０００−１６４０６７号公報
【非特許文献】
【０００４】
【非特許文献１】特許庁，標準技術集  小型スイッチ  A-2-6-1  弾性部材の変形により勢力が蓄積，[online]，インターネット＜URL: https://www.jpo.go.jp/shiryou/s_sonota/hyoujun_gijutsu/small_switch/a-2-6-1.htm＞
【発明の概要】
【発明が解決しようとする課題】
【０００５】
しかしながら、特許文献１記載のシーソー方式を採用したスイッチでは、強制剥離を行うための専用部品が必要である。そのため、部品点数が増加する。さらに、使用に伴い各部品が劣化し、タイミングズレのバラつきも発生して、必要なときに強制剥離ができない場合があった。【０００６】
また、小さな絶縁物が接点表面に付着していた場合や接点表面の酸化被膜が発生した場合などに、導通不良の原因となる。接点が強固な板に固定されているため、これらの導通不良の原因を除去することができなかった。【０００７】
そこで、本願発明は、スイッチの切り替え動作を利用して導通不良に対応することが可能なスイッチを提案することを目的とする。
【課題を解決するための手段】
【０００８】
本願発明の第１の観点は、スイッチであって、可動棒と、固定接点部を備え、前記可動棒は、可動接点台を備え、前記可動接点台は、上に凹な湾曲面状と平面状で変形可能な上側可動接点板と、下に凹な湾曲面状と平面状で変形可能な下側可動接点板を備え、前記固定接点部は、前記可動接点台よりも上に位置する上側固定接点と、前記可動接点台よりも下に位置する下側固定接点を備え、前記下側可動接点板の可動接点と下側固定接点が接触した状態から、前記可動棒の所定向きへの移動に応じて、前記上側可動接点板が上に凹な湾曲面状で前記上側可動接点板の可動接点と前記上側固定接点とが接触し、前記上側可動接点板の可動接点が前記上側固定接点を押下して前記上側可動接点板が上に凹な湾曲面状から平面状に変形し、前記下側可動接点板の可動接点と前記下側固定接点とが離れて前記下側可動接点板が平面状から下に凹な湾曲面状に変形し、前記上側可動接点板の可動接点と上側固定接点が接触した状態から、前記可動棒の所定向きへの移動に応じて、前記上側可動接点板の可動接点と前記上側固定接点とが離れて前記上側可動接点板が平面状から上に凹な湾曲面状に変形し、前記下側可動接点板が下に凹な湾曲面状で前記下側可動接点板の可動接点と前記下側固定接点とが接触し、前記下側可動接点板の可動接点が前記下側固定接点を押下して前記下側可動接点板が下に凹な湾曲面状から平面状に変形する。【０００９】
本願発明の第２の観点は、第１の観点のスイッチであって、前記可動接点台は、前記上側可動接点板と前記下側可動接点板との間に前記可動棒が上昇しても下降しても変形しない補助板を備える。【００１０】
本願発明の第３の観点は、第１又は第２の観点のスイッチであって、中央棒と、接続部材と、反転部材をさらに備え、前記反転部材は、前記接続部材と前記可動棒との距離に応じて反転し、前記中央棒が下降すると、前記接続部材は上昇し、前記接続部材が上昇すると、前記反転部材が反転して前記可動棒は下降し、前記中央棒が上昇した状態で、前記上側可動接点板の可動接点と前記上側固定接点とが接触し、前記下側可動接点板の可動接点と前記下側固定接点とが離れており、前記中央棒が下降すると、前記上側可動接点板の可動接点と前記上側固定接点とが溶着していない場合、前記中央棒と前記可動棒が接触する前に前記反転部材が反転することによって、前記上側可動接点板の可動接点と前記上側固定接点とが離れ、前記下側可動接点板の可動接点と前記下側固定接点とが接触し、前記上側可動接点板の可動接点と前記上側固定接点とが溶着している場合、前記中央棒と前記可動棒が接触して前記中央棒が前記可動棒を押下して前記上側可動接点板の可動接点と前記上側固定接点を強制剥離して前記上側可動接点板の可動接点と前記上側固定接点とが離れて、前記反転部材が反転して前記下側可動接点板の可動接点と前記下側固定接点とが接触し、前記下側可動接点板の可動接点が下側固定接点を押下して、前記下側可動接点板は下に凹な湾曲面状から平面状に変形する。【００１１】
本願発明の第４の観点は、スイッチであって、可動棒と、中央棒と、反転部材と、固定接点部を備え、前記可動棒は、可動接点台を備え、前記固定接点部は、前記可動接点台よりも上に位置する上側固定接点と、前記可動接点台よりも下に位置する下側固定接点を備え、前記中央棒が上昇した状態で、前記可動棒が上昇し、前記可動接点台の可動接点と前記上側固定接点とが接触し、前記可動接点台の可動接点と前記下側固定接点とが離れ、前記中央棒が下降すると、前記可動接点台の可動接点と前記上側固定接点とが溶着していない場合、前記中央棒と前記可動棒が接触する前に前記反転部材が反転することによって、前記可動接点台の可動接点と前記上側固定接点とが離れ、前記可動接点台の可動接点と前記下側固定接点とが接触し、前記可動接点台の可動接点と前記上側固定接点とが溶着している場合、前記中央棒と前記可動棒が接触して前記中央棒が前記可動棒を押下して、前記可動接点台の可動接点と前記上側固定接点を強制剥離して前記可動接点台の可動接点と前記上側固定接点とが離れ、前記反転部材が反転して前記可動接点台の可動接点と前記下側固定接点とが接触する。
【発明の効果】
【００１２】
本願発明の各観点によれば、可動棒の上下動を利用して、強制剥離や、接点のワイプ動作による導通不良原因の除去などの導通不良対策を行うことができる。【００１３】
本願の第１の観点によれば、上側可動接点板及び下側可動接点板は、それぞれ、上及び下に凹な湾曲面状であり、固定接点と接触するときには押圧を利用して湾曲面状から平面状に変形する。そのため、可動接点は、固定接点の表面をワイプする。このワイプ動作により、接点の表面の導通不良原因を除去することができる。【００１４】
本願発明の第２の観点によれば、ワイプ動作が可能な薄板の上側可動接点板及び下側可動接点板の間に補助板を追加することにより、電流を流す導体部の断面積を大きくすることが可能になる。すなわち、電流密度は「電流値／導体の断面積」の計算式によって求められる。補助板を追加することにより、分母である断面積を大きくして、ワイプ動作を可能とする接点構造を有しながら電流密度を小さく抑えることが可能となる。【００１５】
本願発明の第３及び第４の観点によれば、接点溶着が発生した際、中央軸が可動棒を強制的に押し下げる。中央棒が可動棒を強制的に押し下げるというシンプルな構造で、可動棒が備える可動接点台を動かし、溶着した固定接点と可動接点を剥離できる。そのため、シーソー方式などよりも部品点数を少なくできる。
【図面の簡単な説明】
【００１６】
【図１】本願発明の実施の形態に係るスイッチの一例を示す図である。
【図２】図１のスイッチ１における接点間のワイプ動作の一例を示す図である。
【図３】（ａ）（ｂ）図１の上側可動接点板１７と下側可動接点板１９と補助板２０とにより可動接点台を実現する場合と、（ｃ）（ｄ）１枚の板により可動接点台を実現する場合を比較する図である。
【図４】図１の上側固定接点１３と上側可動接点２１が溶着した場合の処理の一例を示す。
【発明を実施するための形態】
【００１７】
以下では、図面を参照して、本願発明の実施例について説明する。なお、本願発明は、この実施例に限定されるものではない。
【実施例】
【００１８】
図１は、本願発明の実施の形態に係るスイッチの一例を示す図である。スイッチ１は、ローラ３と、中央棒５（本願請求項の「中央棒」の一例）と、ギア７1及び７2と、接続部材９（本願請求項の「接続部材」の一例）と、スナップバネ１１1及び１１2（本願請求項の「反転部材」の一例）と、可動棒１２（本願請求項の「可動棒」の一例）と、上側固定接点１３1及び１３2（本願請求項の「上側固定接点」の一例）と、下側固定接点１５1及び１５2（本願請求項の「下側固定接点」の一例）を備える。可動棒１２は、上側可動接点板１７（本願請求項の「上側可動接点板」の一例）と、下側可動接点板１９（本願請求項の「下側可動接点板」の一例）と、補助板２０（本願請求項の「補助板」の一例）を備える。上側可動接点板１７は、上側可動接点２１1及び２１2を備える。下側可動接点板１９は、下側可動接点２３1及び２３2を備える。（上側可動接点板１７と下側可動接点板１９と補助板２０と上側可動接点２１と下側可動接点２３を併せたものが本願請求項の「可動接点台」の一例である。）なお、符号の添え字は省略する場合がある。【００１９】
スイッチ１において、スナップバネ１１が反転することによりスナップアクション動作が生じる。図１（ａ）を参照して、ローラ３に外力が働いていない状態では、中央棒５は上昇し、接続部材９が下降し、可動棒１２が上昇した位置にあり、上側固定接点１３と上側可動接点２１が接触し、下側固定接点１５と下側可動接点２３が離れている。ローラ３が押下されると、中央棒５が下降し、接続部材９が上昇してスナップバネ１１のスナップアクション動作が生じて可動棒１２が下降して、上側固定接点１３と上側可動接点２１が離れ、下側固定接点１５と下側可動接点２３が接触する。ローラ３に外力が働かなくなると、中央棒５のバネの作用により中央棒５が上昇し、接続部材９が下降し、可動棒１２が上昇して、上側固定接点１３と上側可動接点２１が接触し、下側固定接点１５と下側可動接点２３が離れる。【００２０】
図１（ｂ）及び（ｃ）を参照して、具体的に説明する。図１（ｂ）は、可動棒１２が上昇した通常状態（ａ接点開、ｂ接点閉）を示す。ローラ３に外力がなく、中央棒５が上昇しており、ギア７は、軸のまわりを回転して接続部材９を下げている。スナップバネ１１は、一端が接続部材９に接続し、他端が可動棒１２に接続する。可動棒１２は、上昇している。【００２１】
可動棒１２には、上側可動接点板１７と下側可動接点板１９と補助板２０が固定されている。上側可動接点板１７は、下側可動接点板１９よりも中央棒５に近く、上に凹な湾曲面状と平面状に変形できる構造である。下側可動接点板１９は、上側可動接点板１７よりも中央棒５から遠く、下に凹な湾曲面状と平面状に変形できる構造である。補助板２０は、上側可動接点板１７と下側可動接点板１９との間にあり、可動棒１２の上下動で変形しない。【００２２】
上側固定接点１３1及び１３2は、上側可動接点板１７よりも中央棒５に近い位置に固定されている接点である。下側固定接点１５1及び１５2は、下側可動接点板１９よりも中央棒５から遠い位置に固定されている接点である。上側可動接点２１1及び２１2は、それぞれ、上側可動接点板１７の中央棒５に近い面に、上側固定接点１３1及び１３2に対応する位置にある。下側可動接点２３1及び２３2は、それぞれ、下側可動接点板１９の中央棒５から遠い面に、下側固定接点１５1及び１５2に対応する位置にある。【００２３】
ローラ３に外力がない状態では、中央棒５は上昇し、接続部材９が下降し、可動棒１２が上昇した位置にある。可動棒１２に固定された上側可動接点板１７及び下側可動接点板１９は、上昇した位置にある。上側固定接点１３と上側可動接点２１が接触し（閉極し）、下側固定接点１５と下側可動接点２３が離れている。このとき、上側可動接点板１７は平面状であり、下側可動接点板１９は下に凹な湾曲面状である。【００２４】
図１（ｃ）は、可動棒１２が下降した状態を示す。ローラ３が押下されると、中央棒５は下降する。中央棒５のラックにより、ギア７1は反時計回りに、ギア７2は時計回りに回転する。ギア７が回転すると、接続部材９の内面に形成されたラックにより接続部材９に上昇する力がかかる。そして、上側固定接点１３と上側可動接点２１が溶着していない場合には、中央棒５の先端が可動棒１２の上部に至る前に（すなわち、中央棒５が可動棒１２に接触する前に）、スナップバネ１１が反転してスナップアクション動作が生じ、可動棒１２が下降する。上側固定接点１３と上側可動接点２１が溶着している場合については、図４を参照して後に説明する。【００２５】
可動棒１２に固定された上側可動接点板１７と下側可動接点板１９と補助板２０は、下降した位置にある。上側固定接点１３と上側可動接点２１は離れ、下側固定接点１５と下側可動接点２３が接触している。このとき、上側可動接点板１７は、上に凹な湾曲面状であり、下側可動接点板１９は平面状である。【００２６】
図１（ｃ）の状態からローラ３の外力がない状態になると、中央棒５は上昇する。中央棒５のラックにより、ギア７1は時計回りに、ギア７2は反時計回りに回転する。ギア７が回転すると、接続部材９の内面に形成されたラックにより接続部材９に下降する力がかかる。これにより、可動棒１２が上昇する。そして、図１（ｂ）の状態に戻る。【００２７】
図２を参照して、接点間のワイプ動作の一例を説明する。図２（ａ）及び（ｃ）は、それぞれ図１（ｂ）及び（ｃ）に対応する。図２（ｂ）は、図２（ａ）から（ｃ）に変化する途中の状態を示す。【００２８】
図２（ａ）は、可動棒１２が上昇している通常状態であり、図１（ｂ）と同じである。図２（ｃ）は、可動棒１２が下降した状態（ａ接点閉、ｂ接点開）であり、図１（ｃ）と同じである。可動棒１２が、図２（ａ）から（ｃ）の状態に至る前に、図２（ｂ）の状態、すなわち、下側可動接点板１９が下に凹な湾曲面状の状態で、下側可動接点板１９の可動接点２３が、下側固定接点１５に接する状態がある。図２（ｂ）の状態を経て、下側可動接点２３が下側固定接点１５を押下して下側可動接点板１９が平面状に変形して、図２（ｃ）の状態に至ることにより、下側可動接点２３と下側固定接点の間でワイプ動作が生じる。このワイプ動作により、仮に接点表面に絶縁物の付着等が生じていた場合でも、絶縁物の除去等を実現することが可能となる。【００２９】
図２（ｄ）〜（ｇ）を参照して、具体的に説明する。図２（ｄ）は、可動棒１２が下降し、下側可動接点２３1と下側固定接点１５1が離れた状態である。図２（ｅ）及び（ｇ）は、それぞれ、図２（ｂ）及び（ｃ）に対応する。図２（ｆ）は、図２（ｅ）から（ｇ）に変化する途中の状態を示す。【００３０】
図２（ｅ）は、下側可動接点２３1と下側固定接点１５1が接触した状態である。この状態では、下側可動接点板１９は、下に凹な湾曲面状であり、下側可動接点２３1の外側のみが、固定接点１５1の表面に接する。下側可動接点２３1が固定接点１５1を押下することにより、図２（ｆ）にあるように下側可動接点板１９が平面状に近付き、下側可動接点２３1の接する点が、固定接点１５1の表面上で外側に移動する。これにより、下側可動接点２３1と固定接点１５1との間でワイプ動作が実現する。そして、図２（ｇ）にあるように、下側可動接点板１９が平面状になり、下側固定接点１５の接点台と並行になり、下側可動接点１９が垂直下向きに力をかけ、安定した接触状態となる。他の可動接点と固定接点との間でも、同様にワイプ動作が実現する。【００３１】
図３は、（ａ）（ｂ）上側可動接点板１７と下側可動接点板１９と補助板２０とにより可動接点台を実現する場合と、（ｃ）（ｄ）１枚の板により可動接点台を実現する場合を比較する図である。図３（ｂ）及び（ｄ）は、それぞれ、図３（ａ）のＡ−Ａ、図３（ｃ）のＢ−Ｂの断面を示す。【００３２】
図３（ｃ）（ｄ）を参照して、１枚の板により可動接点台を実現すると、変形させるために、可動接点台は変形が容易な薄板である必要がある。断面積が小さいと、電流密度は大きくなる。そのため、可動接点台は、断面積が小さく、電流密度が大きくなる。また、１枚の板により可動接点台を実現すると、上側と下側（ａ接点とｂ接点）のどちらか一方のみでワイプ動作を実現することとなる。なお、従来の１ａ１ｂ接点では、可動接点台に緩やかなカーブを有してはいない。【００３３】
それに対し、図３（ａ）（ｂ）を参照して、緩やかなカーブを有する変形が容易な薄板の上側可動接点板１７と下側可動接点板１９の間に、変形を必要としない厚い板の補助板２１（補強板）を重ねることにより、通電時の可動接点台を構成する導体の断面積は大きくなる。断面積が大きくなれば、電流密度を小さくなる。よって、断面積を大きくして、電流密度を小さくすることができる。【００３４】
図４は、上側固定接点１３と上側可動接点２１が溶着した場合の処理の一例を示す。図４（ａ）は、図１（ｂ）と同様に、図１（ｂ）は、可動棒１２が上昇した通常状態（ａ接点開、ｂ接点閉）を示す。【００３５】
図４（ｂ）は、中央棒５が下降した状態を示す。ローラ３が押下されると、中央棒５は下降する。中央棒５のラックにより、ギア７1は反時計回りに、ギア７2は時計回りに回転する。ギア７が回転すると、接続部材９の内面に形成されたラックにより接続部材９に上昇する力がかかる。スナップバネ１１の力は、接点を引きはがすには十分でない。そのため、上側固定接点１３と上側可動接点２１が溶着していると、スナップバネ１１が反転できない。そのため、中央棒５の下端は、可動棒１２の上端に接触する。そして、中央棒５は、可動棒１２を押下することにより、可動棒１２に固定された上側可動接点板１７を下降させ、上側固定接点１３と上側可動接点板１７の可動接点２１とを強制剥離する。そうすると、スナップバネ１１が反転してスナップアクション動作が生じ、可動棒１２が下降する。そして、図１（ｃ）と同じ状態となる。
【符号の説明】
【００３６】
１  スイッチ，３  ローラ，５  中央棒，７1、７2  ギア，９  接続部材，１１1、１１2  スナップバネ，１２  可動棒，１３1、１３2  上側固定接点，１５1、１５2  下側固定接点，１７  上側可動接点板，１９  下側可動接点板，２０  補助板，２１1、２１2  上側可動接点，２３1、２３2  下側可動接点
【図１】
2018198159.tif 000003
【図２】
2018198159.tif 000004
【図３】
2018198159.tif 000005
【図４】
2018198159.tif 000006
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
スイッチであって、
可動棒と、固定接点部を備え、
前記可動棒は、可動接点台を備え、
前記可動接点台は、
上に凹な湾曲面状と平面状で変形可能な上側可動接点板と、
下に凹な湾曲面状と平面状で変形可能な下側可動接点板を備え、
前記固定接点部は、
前記可動接点台よりも上に位置する上側固定接点と、
前記可動接点台よりも下に位置する下側固定接点を備え、
前記下側可動接点板の可動接点と下側固定接点が接触した状態から、前記可動棒の所定向きへの移動に応じて、
前記上側可動接点板が上に凹な湾曲面状で前記上側可動接点板の可動接点と前記上側固定接点とが接触し、前記上側可動接点板の可動接点が前記上側固定接点を押下して前記上側可動接点板が上に凹な湾曲面状から平面状に変形し、
前記下側可動接点板の可動接点と前記下側固定接点とが離れて前記下側可動接点板が平面状から下に凹な湾曲面状に変形し、
前記上側可動接点板の可動接点と上側固定接点が接触した状態から、前記可動棒の所定向きへの移動に応じて、
前記上側可動接点板の可動接点と前記上側固定接点とが離れて前記上側可動接点板が平面状から上に凹な湾曲面状に変形し、
前記下側可動接点板が下に凹な湾曲面状で前記下側可動接点板の可動接点と前記下側固定接点とが接触し、前記下側可動接点板の可動接点が前記下側固定接点を押下して前記下側可動接点板が下に凹な湾曲面状から平面状に変形し、
前記可動接点台は、前記上側可動接点板と前記下側可動接点板との間に前記可動棒が上昇しても下降しても変形しない補助板を備える、スイッチ。
【請求項２】
スイッチであって、
可動棒と、固定接点部と、中央棒と、接続部材と、反転部材を備え、
前記可動棒は、可動接点台を備え、
前記可動接点台は、
上に凹な湾曲面状と平面状で変形可能な上側可動接点板と、
下に凹な湾曲面状と平面状で変形可能な下側可動接点板を備え、
前記固定接点部は、
前記可動接点台よりも上に位置する上側固定接点と、
前記可動接点台よりも下に位置する下側固定接点を備え、
前記下側可動接点板の可動接点と下側固定接点が接触した状態から、前記可動棒の所定向きへの移動に応じて、
前記上側可動接点板が上に凹な湾曲面状で前記上側可動接点板の可動接点と前記上側固定接点とが接触し、前記上側可動接点板の可動接点が前記上側固定接点を押下して前記上側可動接点板が上に凹な湾曲面状から平面状に変形し、
前記下側可動接点板の可動接点と前記下側固定接点とが離れて前記下側可動接点板が平面状から下に凹な湾曲面状に変形し、
前記上側可動接点板の可動接点と上側固定接点が接触した状態から、前記可動棒の所定向きへの移動に応じて、
前記上側可動接点板の可動接点と前記上側固定接点とが離れて前記上側可動接点板が平面状から上に凹な湾曲面状に変形し、
前記下側可動接点板が下に凹な湾曲面状で前記下側可動接点板の可動接点と前記下側固定接点とが接触し、前記下側可動接点板の可動接点が前記下側固定接点を押下して前記下側可動接点板が下に凹な湾曲面状から平面状に変形し、
前記反転部材は、前記接続部材と前記可動棒との距離に応じて反転し、
前記中央棒が下降すると、前記接続部材は上昇し、
前記接続部材が上昇すると、前記反転部材が反転して前記可動棒は下降し、
前記中央棒が上昇した状態で、前記上側可動接点板の可動接点と前記上側固定接点とが接触し、前記下側可動接点板の可動接点と前記下側固定接点とが離れており、
前記中央棒が下降すると、
前記上側可動接点板の可動接点と前記上側固定接点とが溶着していない場合、前記中央棒と前記可動棒が接触する前に前記反転部材が反転することによって、前記上側可動接点板の可動接点と前記上側固定接点とが離れ、前記下側可動接点板の可動接点と前記下側固定接点とが接触し、
前記上側可動接点板の可動接点と前記上側固定接点とが溶着している場合、前記中央棒と前記可動棒が接触して前記中央棒が前記可動棒を押下して前記上側可動接点板の可動接点と前記上側固定接点を強制剥離して前記上側可動接点板の可動接点と前記上側固定接点とが離れて、前記下側可動接点板の可動接点と前記下側固定接点とが接触し、
前記下側可動接点板の可動接点が下側固定接点を押下して、前記下側可動接点板は下に凹な湾曲面状から平面状に変形する、スイッチ。
【請求項３】
スイッチであって、
可動棒と、中央棒と、反転部材と、固定接点部を備え、
前記可動棒は、可動接点台を備え、
前記固定接点部は、
前記可動接点台よりも上に位置する上側固定接点と、
前記可動接点台よりも下に位置する下側固定接点を備え、
前記中央棒が上昇した状態で、前記可動棒が上昇し、前記可動接点台の可動接点と前記上側固定接点とが接触し、前記可動接点台の可動接点と前記下側固定接点とが離れ、
前記中央棒が下降すると、
前記可動接点台の可動接点と前記上側固定接点とが溶着していない場合、前記中央棒と前記可動棒が接触する前に前記反転部材が反転することによって、前記可動接点台の可動接点と前記上側固定接点とが離れ、前記可動接点台の可動接点と前記下側固定接点とが接触し、
前記可動接点台の可動接点と前記上側固定接点とが溶着している場合、前記中央棒と前記可動棒が接触して前記中央棒が前記可動棒を押下して、前記可動接点台の可動接点と前記上側固定接点を強制剥離して前記可動接点台の可動接点と前記上側固定接点とが離れ、前記可動接点台の可動接点と前記下側固定接点とが接触する、スイッチ。
【国際調査報告】
2018198159.tif 000007
2018198159.tif 000008